(57)【特許請求の範囲】
【請求項１】
軸流ファンを実装配備する際併用するファンガード取付け構造において、前記ファンガードは線状部材より成る複数の取付足を有し、該取付足の端部は、前記軸流ファンの軸方向に伸長するように、而も、該軸方向伸長部は、夫々、曲げ形成根本部に比べ先端が、互いに軸芯方向に接近するよう形成され、前記軸流ファンを構成するベンチュリケースと一体を成すフランジに当該軸流ファンの取付孔が形成されると共に、この取付孔の内側側壁における軸芯方向側に凹部が形成され、該取付孔の凹部に、前記ファンガードの取付足の先端部が弾性的に嵌着されること、を特徴とする軸流ファンのファンガード取付け構造。
【請求項２】
軸流ファンを実装配備する際併用するファンガード取付け構造において、前記ファンガードは線状部材より成る複数の取付足を有し、該取付足の端部は、前記軸流ファンの軸方向に伸長するように、而も、該軸方向伸長部は、夫々、曲げ形成根本部に比べ先端が、互いに離間するよう形成され、前記軸流ファンを構成するベンチュリケースと一体を成すフランジに当該軸流ファンの取付孔が形成されると共に、この取付孔の内側側壁における径方向外側に凹部が形成され、該取付孔の凹部に、前記ファンガードの取付足の先端部が弾性的に嵌着されること、を特徴とする軸流ファンのファンガード取付け構造。
【請求項３】
前記ファンガードの取付足は、線状部材が平行に曲げ形成されて、その端部がＵ字状を成し、該Ｕ字状端部が弾性的に嵌着されること、を特徴とする請求項１または２に記載の軸流ファンのファンガード取付け構造。
【請求項４】
前記ファンガードの取付足に当接するフランジの表面が、前記取付足を収容する面上凹部を備えること、を特徴とする請求項１から３のいずれかに記載の軸流ファンのファンガード取付け構造。
【発明の詳細な説明】
【０００１】
【産業上の利用分野】
本発明は、軸流ファンの実装配備に際し併用されるファンガードの取付構造に関する。
【０００２】
【従来の技術】
図１４は従来技術に成る軸流ファン２とファンガード１との取付け状態を示す例の正面図で、図１５および図１６は該例の取付け部の側面略と該取付け部の拡大図である。該例では、側面略図１５を参照して、取付け部の拡大図１６に見るように、軸流ファン２とファンガード１とは外部取付け部材３を挟むように対向配置され、夫々の取付孔を利用してこれらを貫挿するネジ部材４により固定される。
【０００３】
上述の通り、冷却システム構成に際しては、外部取付け部材３に軸流ファン２を取付け、実装駆動での安全性確保のためにファンガード１の併用が一般的であるが、外部取付け部材３、軸流ファン２、ファンガード１の３つの独立部材を同時に取り扱う関係から、取付け固着作業の工程ではそれらの相関位置・姿勢の安定保持のし難さが問題であった。
【０００４】
【発明が解決しようとする課題】
上述の如き従来の構成は、外部取付け部材への軸流ファンとファンガード両者の同時取扱に起因する作業性の悪さへの改善が求められていた。
【０００５】
【課題を解決するための手段】
本発明に成るファンガードの取付構造は、当該ファンガードが線状部材より成り、単線もしくは平行に曲げ形成されてその端部がＵ字状を成す複数の取付足を有し、該取付足の端部は、前記軸流ファンの軸方向に伸長するように、而も、該軸方向伸長部は、夫々の先端が、曲げ形成される根本部に比べ互いに軸芯方向に接近するように・もしくは互いに離間するように形成されると共に、ベンチュリケースと一体を成すフランジにおいて、取付孔側壁の一部として凹部が形成され、もしくは、前記ファンガードの取付足に当接するフランジの表面に、前記取付足を収容しその案内ともなる面上凹部をも備えるように形成され、前記フランジの凹部に、前記ファンガードの取付足の端部が弾性的に嵌着されるように構成される。
【０００６】
【実施例】
以下図面によって本発明の実施例を説明する。
【０００７】
図１及び図２が、複数の円環状を成すファンガード本体部１−２と、これらを一体保持する取付足１−１で形成される、本発明に成るファンガードの第１の例の正面図と、その矢視拡大図で、図３及び図４が、該例の実装状態を説明する正面図と、その矢視拡大図である。
該第１の例は、ファンガード本体部１−２と取付足１−１とが、いずれも線状部材より成り連結保持され、該取付足１−１は４ヶ所に等配された単線で構成されている。図４に見るように、該取付足１−１の軸方向伸長部１−１１の先端が、前記フランジ２−１１の取付孔２−１３に嵌入し、該取付足の軸方向伸長部１−１１の先端が、前記取付孔２−１３の内側側壁に圧接状態で装着されて弾性適に保持されている。また、取付孔２-１３の軸芯側側壁の一部には、取付足の軸方向伸長部１−１１が嵌入可能な凹部２−１２が設けられ、ネジ部材４の貫挿の邪魔とならないようにしている。
【０００８】
図５は本発明の第２の例の正面図、図６及び図７が、該第２の例のＡ矢視拡大図とＢ矢視拡大図である。該第２の例は、ファンガード本体部１−２を連結保持する機能も有する取付足１−１’が、その先端部がＵ字状に折り曲げ形成されているもの１−１１１’である。そして、図８に該第２の例の装着状態正面図を示すが、フランジ２−１との嵌着状態は、図４に示す上述第１の例と同様である。
【０００９】
図９は本発明の第３の例の部分拡大図で、図１０が該例の装着状態を説明する部分拡大図である。該第２の例は、図６に示す上述第２の例と対照すると明らかなように、取付足１−１の軸方向伸長部１−１１が、軸芯に対し互いに離間するような向きに形成されて、対応する取付孔２−１３の側壁は、外側に凹部２−１２が設けられ、実装固定のため貫挿されるネジ部材４を跨ぐようにして保持される。該例では、フランジ２−１１の表面上を、取付孔２−１３を越えてファンガードの足部１−１’が伸びる事になるので、該取付足１−１’は、いずれもが、取付孔２−１３の近接周縁を回避するように形成されることになる。
【００１０】
図１１は、本発明の第４の例の実装状態を示す正面図で、図１２に該例の矢視拡大図を示している。該第４の例は、取付足１−１の軸方向伸長部１−１１’の嵌着が、取付孔２−１３ではなく、フランジ２−１１の外周壁となる。上述図４と図１２との対比で明らかなように、取付足１−１の軸方向伸長部１−１１’の嵌着保持が、取付孔２−１３に近接する外側の凹部２−１２’となるものである。
【００１１】
また図１３は、本発明の第５の例を示す嵌着保持部の拡大説明図である。図４に示す第１の例と対比すると明らかなように、フランジ２−１１の取付面上で、ファンガード１が出っ張らないように、予めフランジ２−１１に、面上凹部２−１４を設けておき、ここにファンガード１を収納可能とするものである。
【００１２】
上述面上凹部は、当該ファンガードの形状にあわせ形成することで、上述第１の例から第４の例、その他任意の構成に対応可能である。
【００１３】
【発明の効果】
本発明に成るファンガードの取付構造は、軸流ファンを構成するベンチュリーケースに直接ファンガードを嵌着保持できるので、取付に際しての容易化・任意性を実現するだけでなく、必要に応じた取外しにも容易に対応できるようになる。
【図面の簡単な説明】
【図１】本発明に成るファンガードの第１例の、正面図である。
【図２】図１の例の矢視拡大図である。
【図３】図１の例の実装状態を示す正面図である。
【図４】図３の矢視拡大図である。
【図５】本発明に成るファンガードの第２例の、正面図である。
【図６】図５の例のＡ矢視拡大図である。
【図７】図５の例のＢ矢視拡大図である。
【図８】図５に示すファンガードの第２例の実装状態を示す正面図である。
【図９】本発明に成るファンガードの第３例の取付足部拡大図である。
【図１０】図９の例の実装状態を示す部分拡大図である。
【図１１】本発明に成るファンガードの第４例の実装状態を示す正面図である。
【図１２】図１１の例の実装状態を示す部分拡大図である。
【図１３】本発明に成るファンガードの第４例の実装状態を示す部分拡大図である。
【図１４】従来技術に成るファンガードの例の実装状態を示す正面図である。
【図１５】図１４の側面図である。
【図１６】図１４の例の取付部部分拡大図である。
【符号の説明】
１            ファンガード
１−１        単線の取付足
１−１１      その軸方向伸長部
１−１’      平行に形成された取付足
１−１１’    その軸方向伸長部
１−１１１’  Ｕ字状に形成された取付足先端部
１−２        本体部
２            軸流ファン
２−１        ベンチュリーケース
２−１１      ベンチュリーケースのフランジ
２−１２      取付孔の側壁の一部として足の嵌着部を形成する凹部
２−１２’    フランジ外周側壁に形成される足の嵌着部を形成する凹部
２−１３      取付孔
２−１４      フランジの面上凹部
３            外部取付部材
３−１        取付面
４            ネジ部材
【図１】
0004627340.tif 000002
【図２】
0004627340.tif 000003
【図３】
0004627340.tif 000004
【図４】
0004627340.tif 000005
【図５】
0004627340.tif 000006
【図６】
0004627340.tif 000007
【図７】
0004627340.tif 000008
【図８】
0004627340.tif 000009
【図９】
0004627340.tif 000010
【図１０】
0004627340.tif 000011
【図１１】
0004627340.tif 000012
【図１２】
0004627340.tif 000013
【図１３】
0004627340.tif 000014
【図１４】
0004627340.tif 000015
【図１５】
0004627340.tif 000016
【図１６】
0004627340.tif 000017